(57)【要約】【課題】  携帯用電子機器の表示装置に関し、外部からのねじれに対して耐性を持った構造を提供することを目的とする。【解決手段】  表示パネル５と、表示パネル５を備えた表示装置１と、表示パネル５の表示領域を露出するための窓部４および、窓部４の内側の四ヶ所の角で平面部に接続されているリブ３を立てた構造のベゼル２を備えたものである。これにより、リブがねじれに対する強度を高めるので、表示装置に外部からねじれの応力が加わった際に、表示パネルの破損を抑制することができる。【選択図】  図４
2007206115.tif 000002
【特許請求の範囲】
【請求項１】
表示領域を有する表示パネルと、前記表示領域が露出するように窓部が形成されるとともに、前記表示パネルを覆うベゼルを備え、前記ベゼルが前記窓部の内側において表示面に対して角度のある複数のリブを有することを特徴とする表示装置。
【請求項２】
前記リブは表示面に対して垂直に立つように形成されたことを特徴とする請求項１に記載の表示装置。
【請求項３】
前記リブは前記窓部の四隅に形成されたことを特徴とする請求項１または２に記載の表示装置。
【請求項４】
前記表示パネルを保持するフレームを備え、前記ベゼルが前記フレームの側面部で結合されたことを特徴とする請求項１〜３のいずれか一項に記載の表示装置。
【請求項５】
前記フレームには、前記表示パネルを照明する照明装置が収納されたことを特徴とする請求項４に記載の表示装置。
【請求項６】
前記ベゼルは、その側面部に不連続な部分が無く、四辺の側面部が全て繋がっていることを特徴とする請求項記載の表示装置。
【請求項７】
前記ベゼルは、金属製であることを特徴とする請求項１〜６のいずれか一項に記載の表示装置。
【請求項８】
前記ベゼルは、樹脂製であることを特徴とする請求項１〜６のいずれか一項に記載の表示装置。
【発明の詳細な説明】
【技術分野】
【０００１】
本発明は、携帯用電子機器等に用いられる表示装置を補強する構造に関する。
【背景技術】
【０００２】
従来、携帯用電子機器の表示パネルは、外部からの衝撃や圧力に起因した破損を防止するために、表示パネルを覆うようにベゼルが取り付けられている。このベゼルは矩形枠状であり、表示パネルの表示領域を露出させる窓部を設けている。また保持・補強のために側面部をベゼルが覆う構造になっている。（例えば、特許文献１参照。）
【特許文献１】特開２００４−３０２１１７号公報
【発明の開示】
【発明が解決しようとする課題】
【０００３】
従来のベゼルは、衝撃および表示パネルの辺に対して平行方向の曲げには、耐性を有している。しかし、ねじれ即ち表示パネルの対角線方向の曲げには強度が低く、これに起因した破損は十分な防止ができないという課題を有している。これは近年の表示装置の薄型化に伴って、さらにねじれ強度が低下しており破損を防止するための構造が求められている。本発明は表示パネルの破損を防止するために、ベゼルのねじれ強度を高めた表示装置を提供することを課題とする。
【課題を解決するための手段】
【０００４】
本発明の表示装置は、表示領域を有する表示パネルとこれを覆うベゼルを備えている。ベゼルには表示領域が露出するように窓部が形成されるとともに、窓部の内側に表示面に対して角度のある複数のリブが設けられている。このような構成のベゼルは、ねじれ強度が高まるので表示パネルの破損を抑制することができる。さらに、リブは表示面に対して垂直に立つように形成する。さらに、リブを窓部の四隅に形成する。
【０００５】
また、表示パネルを保持するフレームを設け、ベゼルがこのフレームの側面部で結合するように構成してもよい。また、表示パネルを照明する照明装置をフレームに収納することもできる。
【０００６】
ここで、ベゼルを、その側面部に不連続な部分が無く、四辺の側面部が全て繋がった構成にすると、さらに強度が向上する。リブをベゼルと同一材を用いて形成することもできる。また、ベゼルを形成する材料には金属、あるいは樹脂製が適している。
【発明の効果】
【０００７】
本発明の構造によれば、複数のリブが窓部の内側に表示面に対して角度を持って形成されているため、ベゼルのねじれに対する強度を高めることができる。従って、表示装置に外部からねじれの応力が加わった際に、表示パネルの破損を抑制することができる。
【発明を実施するための最良の形態】
【０００８】
本発明の実施形態を、図面に基づき説明する。図１は、本発明の表示装置の構成を模式的に示す斜視図である。図２は、本発明のベゼルを模式的に示す平面図である。図３は、本発明のベゼルを模式的に示す側面図である。
【０００９】
表示装置１は、表示パネル５と、表示パネル５を照明するための面状光源１０と、表示パネル５および面状光源１０を支持するためのフレーム９と、表示パネル５およびフレーム９を保持するベゼル２を備える。
【００１０】
表示パネル５の下部には、導光板７が配置されている。導光板７はポリカーボネートやアクリル樹脂などを材料としていて、点光源から放射された光を面内に効率良く広げるための光学シート６および反射板８を備える。
【００１１】
フレーム９はポリカーボネート等の樹脂成型品であり、面状光源１０の下部を支持する。フレーム９は側面部をベゼル２の側面部に覆われ結合する。
【００１２】
ベゼル２は主にＳＵＳ、鉄、アルミニウム、マグネシウム等の金属または樹脂等で作られ、表示パネル５の上面を覆い表示領域を露出するための窓部４を有する上面部と、上面部と直角に曲げられた側面部を有する。また上面部に備えた窓部４の四隅にリブ３を備える。リブ３は窓部の角を挟み二辺に跨って構成されていて、表示面に対して垂直に立っている。このリブ３の備えた部分は変形しにくくなるため、外部からのねじれ応力に対して高い強度を有し、表示パネル５の破損を抑制することが可能となる。また、携帯用電子機器の筐体に表示装置を組み込む際に、リブは組立位置を固定するガイドとしての効果も有している。
【００１３】
以下、本発明の実施例を図面に基づいて詳細に説明する。
【実施例１】
【００１４】
図４は、実施例１のベゼル２を模式的に示す斜視図である。実施例１では、ベゼル２の材質としてＳＵＳ、鉄、アルミニウム、マグネシウム等の金属を用いた。表示パネル５には液晶パネルを用いた。また図４に示すようにベゼル２が備える窓部４の内側には、リブ３を立てた構造とした。金属製のリブ３は高い剛性を有し、外部からのねじれ応力に対して変形しにくくなるため、表示パネル５の破損を抑制することが可能となった。また金属製のベゼル２は薄くても十分な剛性を有するため、表示装置１の薄型化にも適応できた。
【実施例２】
【００１５】
図５は、実施例２のベゼル２を模式的に示す斜視図である。実施例２では、ベゼル２の材質として樹脂を用いた。また実施例１と同様に、表示パネル５には液晶パネルを用い、ベゼル２が備える窓部４の内側には、リブ３を立てた構造とした。リブ３の厚みをベゼル２の厚みより大きくすることで、特にベゼル２の角部の強度を向上させた。これにより外部からのねじれ応力に対して変形しにくくなるため、表示パネル５の破損を抑制することが可能となった。
【実施例３】
【００１６】
図６は、実施例３のベゼル２を模式的に示す斜視図である。実施例３では、ベゼル２が備える窓部４の内側にリブ３を立てた構造に加え、ベゼル２の側面部が図６に示す通り、四面全てが連続に繋がっている構造とした。側面部に切れ目があった場合、曲げおよびねじれの応力集中が起こりやすいが、これを無くしたことによってねじれ変形を抑制することができた。この構造により、外部からのねじれ応力に対して変形しにくくなるため、表示パネル５の破損を抑制することが可能となった。
【産業上の利用可能性】
【００１７】
ねじれに対する耐性を強化できるので、信頼性の高い表示装置を提供できる。また、従来、薄型化の進むほど表示パネルの破損が懸念されるが、本発明の構造によれば破損を抑制できることから、表示装置の薄型化を推進することができる。そのため、携帯用電子機器の表示装置に適用できる。
【図面の簡単な説明】
【００１８】
【図１】本発明の表示装置の構成を模式的に示す斜視図である。
【図２】本発明のベゼルを模式的に示す平面図である。
【図３】本発明のベゼルを模式的に示す側面図である。
【図４】実施例１のベゼルを模式的に示す斜視図である。
【図５】実施例２のベゼルを模式的に示す斜視図である。
【図６】実施例３のベゼルを模式的に示す斜視図である。
【符号の説明】
【００１９】
１  表示装置
２  ベゼル
３  リブ
４  窓部
５  表示パネル
６  光学シート
７  導光板
８  反射板
９  フレーム
１０  面状光源
【図１】
2007206115.tif 000003
【図２】
2007206115.tif 000004
【図３】
2007206115.tif 000005
【図４】
2007206115.tif 000006
【図５】
2007206115.tif 000007
【図６】
2007206115.tif 000008